(57)【要約】【課題】カバーが機器の落下などにより不本意に開く危険性を少なくした携帯電子機器を提供する。【解決手段】機器ケース１の側面に形成された開口を覆うカバー５が備えられる携帯電子機器であって、カバー５の短手方向の一端部に、当該カバーを機器ケース１に取り付けるための枠状の連結片５５・５６が設けられ、カバー５の長手方向の両端部に、当該カバーを開口に嵌めた際にその状態を維持するための係合部５７が設けられている。そして、連結片５５・５６の先端部は、カバー５の短手方向の一端部側を回動中心として他端部側を所定角度以上回動させた際にのみ、カバー５の短手方向の一端部側が機器ケース１から引き出せるように、機器ケース１に係止されている。【選択図】図７
2008011055.tif 000002
【特許請求の範囲】
【請求項１】
機器ケースの側面に形成された開口を覆うカバーが備えられ、該カバーの長手方向の両端部に、当該カバーを前記開口に嵌めた際にその状態を維持するための係合部が設けられる携帯電子機器であって、
前記カバーの短手方向の一端部に、当該カバーを前記機器ケースに取り付けるための枠状の連結片が設けられ、
該連結片の先端部は、前記カバーの短手方向の一端部側を回動中心として他端部側を所定角度以上回動させた際にのみ前記カバーの短手方向の一端部側が前記機器ケースから引き出せるように、前記機器ケースに係止されていることを特徴とする携帯電子機器。
【請求項２】
前記機器ケースは、キー操作部が設けられた第一の筐体と表示部が設けられた第二の筐体とが第一の筐体上に第二の筐体を重ねた状態に畳むことが出来るように連結された携帯電子機器における第一の筐体であり、
前記連結片は、前記カバーの短手方向において、筐体を畳んだ際に外になる側に形成されていることを特徴とする請求項１に記載の携帯電子機器。
【請求項３】
前記カバーには前記開口内に嵌合する防水パッキンが設けられていることを特徴とする請求項１または２に記載の携帯電子機器。
【発明の詳細な説明】
【技術分野】
【０００１】
本発明は、機器ケースの側面に設けられる開口部をカバーで閉塞する構成を備えた携帯電子機器に関する。
【背景技術】
【０００２】
携帯電話などの携帯用電子機器には、通信ケーブル用のコネクタやメモリカード用のコネクタを内蔵したものがあり、これらの機器では、機器ケースの側面にコネクタ用の開口部が設けられ、該開口部をカバーで覆う構成となっている。
機器ケースの側面に設けられた開口部をカバーで覆う構成としては、カバーの長手方向一端部に長手方向に延出するアームを設け、該アームの先端部を機器ケースの側面に取り付けて、前記カバーが前記アームの先端部を回動中心として回動できるようにするとともに、カバー内面の長手方向他端部に、機器ケースの開口部内に設けられた係合部に係合して、前記カバーが開口部から容易に外れないようにするための係合部を設けるようにしたものがある（特許文献１参照）。
また、他の構造として、カバー内面の短手方向一端部に、カバー内面に垂直な方向に立設し、かつその立設方向に長尺の貫通孔が形成された弾性を有する平板状の舌片を設け、該舌片を機器ケースに設けられた係合ピンが前記貫通孔内に位置するように機器ケースに取り付けて、前記カバーが機器ケースから引き出せるようにするとともに、カバー内面の長手方向両端部に、機器ケースの開口部内に設けられた係合部に係合して、前記カバーが開口部から容易に外れないようにするための係合部を設けるようにしたものもある（特許文献２参照）。
【特許文献１】特開２００６−１５７７９５公報（段落００１７、００２０、００２１、図４）
【特許文献２】特開２００４−１６５８５１公報（段落００１７、００１８、００２１、図２〜５）
【発明の開示】
【発明が解決しようとする課題】
【０００３】
しかし、特許文献１の構成では、カバーの短手方向両端部の保持力が弱く、機器の落下などにより、カバーの短手方向一端部に、カバーを機器ケースから引き剥がす方向の外力が掛かると、カバーが開口部から外れたり浮き上がったりする危険性がある。
また、特許文献２の構成は、係合部が長手方向両端部に設けられており、また短手方向一端部に舌片が設けられているので、保持力は特許文献１よりも大きいが、舌片部が平板状であり、引き出され易いので、機器の落下などにより、カバーの舌片側端部に、カバーを機器ケースから引き剥がす方向の外力が掛かると、カバーが開口部から外れたり浮き上がったりする危険性がある。
【０００４】
本発明の課題は、カバーが機器の落下などにより不本意に開く危険性を少なくした携帯電子機器を提供することである。
【課題を解決するための手段】
【０００５】
以上の課題を解決するため、請求項１に記載の発明は、機器ケースの側面に形成された開口を覆うカバーが備えられ、該カバーの長手方向の両端部に、当該カバーを前記開口に嵌めた際にその状態を維持するための係合部が設けられる携帯電子機器であって、前記カバーの短手方向の一端部に、当該カバーを前記機器ケースに取り付けるための枠状の連結片が設けられ、該連結片の先端部は、前記カバーの短手方向の一端部側を回動中心として他端部側を所定角度以上回動させた際にのみ前記カバーの短手方向の一端部側が前記機器ケースから引き出せるように、前記機器ケースに係止されていることを特徴とする。
【０００６】
請求項２に記載の発明は、請求項１に記載の携帯電子機器であって、前記機器ケースは、キー操作部が設けられた第一の筐体と表示部が設けられた第二の筐体とが第一の筐体上に第二の筐体を重ねた状態に畳むことが出来るように連結された携帯電子機器における第一の筐体であり、前記連結片は、前記カバーの短手方向において、筐体を畳んだ際に外になる側に形成されていることを特徴とする。
【０００７】
請求項３に記載の発明は、請求項１または２に記載の携帯電子機器であって、前記カバーには前記開口内に嵌合する防水パッキンが設けられていることを特徴とする。
【発明の効果】
【０００８】
本発明によれば、カバーの短手方向一端部側を回動中心として他端部側を所定角度以上回動させた際にのみ、カバーの短手方向一端部側が機器ケースから引き出せるように、カバーの短手方向一端部に設けた枠状の連結片の先端部が機器ケースに係止されているので、機器の落下などによりカバーが不本意に開く危険性を少なくできる。
【発明を実施するための最良の形態】
【０００９】
以下、図を参照して本発明を実施するための最良の形態を詳細に説明する。
図１は本発明を適用した携帯電子機器の一実施形態としての折り畳み式携帯電話機を開いた状態を示すもので、第一の筐体１と第二の筐体２はヒンジ部３を介して互いに折り畳み自在に連結されている。
第一の筐体１には、各種キーによる操作部４とコネクタカバー５等が備えられている。第二の筐体２には、メイン表示部６等が備えられている。
【００１０】
図２から図５は第一の筐体１のコネクタカバー５を備える部分を示すもので、第一の筐体１は、下ケース１１、上ケース１２及び中ケース１３をネジ止め等により合体して構成されている。なお、下ケース１１の電池パック用開口部には、電池パックと一体化された電池蓋１４が装着される。
そして、中ケース１３の長手方向の一端部に形成されたコネクタ用開口部１３ａに通信ケーブル用のコネクタ７が組み付けられている。中ケース１３は機械的強度の強い材質、例えばガラス入りナイロン（商標）により形成されている。
【００１１】
コネクタカバー５は、図６に示すように、カバー部５１及びパッキン固定部５２からなり、パッキン固定部５２に防水パッキンであるコネクタパッキン５３を備えている。
カバー部５１はエラストマー素材、例えばポリエステル系のエラストマーにより形成されている。パッキン固定部５２はポリカーボネートにより形成されている。このパッキン固定部５２を覆うようにカバー部５１が一体成型されている。コネクタパッキン５３はシリコンゴムによりステンレス板５４を一体成型したもので、図示のように、パッキン固定部５２にネジ止めして取り付けられている。
【００１２】
また、中ケース１３のコネクタ用開口部１３ａの左右両側方には、コネクタカバー５を装着状態に保持するための係合部をなす左右一対のフック８が組み付けられている。フック８は潤滑性のある（表面が滑りやすい）エラストマー素材、例えばポリアセタール系の樹脂ＰＯＭ（ポリオキシメチレン）により形成されている。
【００１３】
そして、コネクタカバー５の短手方向一端部の下辺部には、下ケース１１と中ケース１３との間に組み込まれる枠状の連結片を構成する左右一対の延出片５５及びその先端間の連続片５６が備えられている。すなわち、カバー部５１の下辺部に左右一対の延出片５５及びその先端間の連続片５６からなる枠状の連結片を薄肉状に一体形成している。また、延出片５５は連続片５６が低く位置するよう折れ曲がり形状となっている（図８参照）。
さらに、カバー部５１の長手方向両端部の左右両側部に係合部をなす一対の係止片５７が突出して一体形成されており、この係止片５７の外側面の先端に係止突部５８が形成されている。
なお、係止片５７の内側面には、パッキン固定部５２の左右両側部から突出して一体形成されたバックアップ部５９が位置しており、このバックアップ部５９により係止片５７が補強されている。
【００１４】
また、下ケース１１のコネクタカバー装着部には、図７に示すように、コネクタカバー５の一対の延出片５５の間に位置するリブ１５が一体形成されている。
そして、中ケース１３のコネクタカバー装着部には、コネクタカバー５の一対の延出片５５及び連続片５６を収容する凹部１６が形成されるとともに、その左右両側方に離れた部分には一対のボス１７が一体化して備えられている。このボス１７にフック８が組み付けられる。
【００１５】
フック８には、中央に圧入穴８１が形成されて、外周に係止突部８２が形成されている。
すなわち、フック８は、ボス１７を圧入穴８１に圧入して、内側に係止突部８２を向けて取り付けられている。なお、フック８は、中ケース１３に一体形成されたストッパ１８に外周面が当たって、外側に回転しないよう回転止めがなされている。
【００１６】
以上の折り畳み式携帯電話機における第一の筐体１において、中ケース１３のコネクタカバー装着部の凹部１６に、コネクタカバー５の下辺部に備えた左右一対の延出片５５及び連続片５６を収容した状態で、下ケース１１を中ケース１３にネジ止めする。また、上ケース１２も中ケース１３にネジ止めする。
そして、コネクタカバー５の左右両側部に備えた一対の係止片５７を、中ケース１３のコネクタ用開口部１３ａの左右両側方に挿入する。
以上によるコネクタカバー５の装着状態を図８に示した。
【００１７】
コネクタカバー５は、装着状態において、中ケース１３のコネクタ用開口部１３ａに、図８に示したように、コネクタパッキン５３が嵌合しているとともに、下辺部の左右の延出片５５間の連続片５６が、凹部１６内で下ケース１１のリブ１５の奥方に位置している。そして、左右両側部の係止片５７の外側面先端の係止突部５８が、フック８の係止突部８２をそれぞれ乗り越えて係止状態となっている。これによりコネクタカバー５の開放が防止される。
この状態で、例えばコネクタカバー５の下面を手指で押し上げようとしても、コネクタカバー５の一対の延出片５５の先端部を連結している連続片５６が下ケース１１のリブ１５に引っ掛かり、延出片５５を引き出すことが出来ないので、左右両側部における係止突部５８・８２が係止状態に保持される。つまり、コネクタカバー５は下面側からは開放不可能となっている。
【００１８】
次に、図８に矢印を付して示したように、コネクタカバー５の上面を手指で押し下げると、コネクタ用開口部１３ａからコネクタパッキン５３が外れると同時に、左右両側部における係止突部５８・８２の係止状態が解除される。このとき、延出片５５を介して連続片５６が上方に移動してリブ１５より上方に位置する。
続いて、コネクタカバー５を引き出すことで、延出片５５及び連続片５６が凹部１６内を前進するが、凹部１６内で横切る連続片５６の存在によりコネクタカバー５の引き抜きが防止される。
【００１９】
以上のとおり、コネクタカバー５は、その下辺部側を回動中心として上辺部側を所定角度以上回動させた際にのみ、その下辺部側が第一の筐体１から引き出せるように、下辺部に設けた枠状をなす左右の延出片５５の先端部が、図８に示すように、下ケース１１側に折れ曲がり形状となっていて、図７に示すように、その左右の延出片５５の先端部とその間の連続片５６の左右両側部が下ケース１１のリブ１５に係止状態となっている。
従って、機器の落下などによってコネクタカバー５が不本意に開く危険性を極力少なくできるものとなっている。
【００２０】
なお、以上の実施形態においては、コネクタカバーとしたが、本発明はこれに限定されるものではなく、メモリカード用のスロットを閉塞するカバーにも適用可能である。
そして、実施形態では、携帯電子機器として折り畳み式携帯電話機としたが、ＰＤＡ、その他の携帯型の電子機器であっても良い。
さらに、実施形態では、キー操作部が設けられた第１の筐体と表示部が設けられた第２の筐体とを折り畳む構成であったが、キー操作部が設けられた第１の筐体上を、表示部が設けられた第２の筐体がスライドする構成の物でも良い。また、キー操作部と表示部が１つの筐体に設けられたワンボックスタイプのものでもよい。
また、筐体及びカバーの形状等も任意であり、その他、具体的な細部構造等についても適宜に変更可能であることは勿論である。
【図面の簡単な説明】
【００２１】
【図１】本発明を適用した携帯電子機器の一実施形態の構成を示すもので、折り畳み式携帯電話機を開いた使用状態を示す斜視図である。
【図２】図１のコネクタカバーを備える筐体部分を示すもので、上ケースを外した状態を示した斜視図である。
【図３】図２のコネクタカバーを備える筐体部分を裏面側から示すもので、下ケースを外した状態を示した斜視図である。
【図４】図２において、コネクタカバー及びフックを分解して示した斜視図である。
【図５】図３において、コネクタカバーを分解して示した斜視図である。
【図６】コネクタカバーを内側から示す斜視図である。
【図７】コネクタカバーと下ケースとの関係を示す斜視図である。
【図８】図１のコネクタカバー部分の縦断側面図である。
【符号の説明】
【００２２】
１  第一の筐体（機器ケース）
１１  下ケース
１２  上ケース
１３  中ケース
１３ａ  コネクタ用開口部
１４  電池蓋
１５  リブ
１６  凹部
１７  ボス
１８  ストッパ
２  第二の筐体（機器ケース）
３  ヒンジ部
４  操作部
５  コネクタカバー
５１  カバー部
５２  パッキン固定部
５３  コネクタパッキン（防水パッキン）
５４  ステンレス板
５５  延出片（連結片）
５６  連続片（連結片）
５７  係止片（係合部）
５８  係止突部
５９  バックアップ部
６  表示部
７  通信コネクタ
８  フック
８１  圧入穴
８２  係止突部
【図１】
2008011055.tif 000003
【図２】
2008011055.tif 000004
【図３】
2008011055.tif 000005
【図４】
2008011055.tif 000006
【図５】
2008011055.tif 000007
【図６】
2008011055.tif 000008
【図７】
2008011055.tif 000009
【図８】
2008011055.tif 000010